(57)【特許請求の範囲】
【請求項１】
近位端および遠位端を備えかつ長手方向軸線を形成する細長い可撓性チューブを有し、該細長い可撓性チューブは、曲がり可能なスリーブを含み、該曲がり可能なスリーブは、前記長手方向軸線に対する該曲がり可能なスリーブの部分の角度が、該曲がり可能なスリーブの部分がチューブから延びる距離に比例して徐々に変化するように構成されており、
チューブのスリーブの遠位端は、遠位端が組織に対して全体として直線状に配置される第１位置から、遠位端が、スリーブを通って流れる加圧されたイオン化可能ガスを長手方向軸線に対して角度αで指向させる第２位置まで移動でき、前記細長い可撓性チューブから延びる曲がり可能なスリーブの部分は、その長さ全体に沿って曲がるように構成されており、
スリーブの遠位端の近くに取り付けられる、加圧されたイオン化可能ガスをイオン化するための少なくとも１つの電極を更に有することを特徴とする組織を凝固させるための電気外科装置。
【請求項２】
前記チューブを通るガス流を調整するレギュレータを更に有することを特徴とする請求項１記載の電気外科装置。
【請求項３】
加圧されたアルゴンの供給源を更に有することを特徴とする請求項１記載の電気外科装置。
【請求項４】
近位端および遠位端を備えかつ長手方向軸線を形成する細長い可撓性チューブと、
チューブの遠位端に連結されたワイヤとを有し、該ワイヤは、チューブが組織に対して全体として直線平行状に配置される全体として弛緩した第１位置から、チューブの遠位端が、チューブを通って流れる加圧されたイオン化可能ガスを長手方向軸線に対して或る角度で指向させる後退した第２位置まで移動でき、前記ワイヤは、戻り電極として機能し、
スリーブの近くに取り付けられる、加圧されたイオン化可能ガスをイオン化するための少なくとも１つの電極を更に有することを特徴とする組織を凝固させるための電気外科装置。
【請求項５】
前記長手方向軸線に対する角度は、ワイヤに加えられる張力の大きさに比例して徐々に変化することを特徴とする請求項４記載の電気外科装置。
【請求項６】
加圧されたアルゴンの供給源を更に有することを特徴とする請求項４記載の電気外科装置。
【請求項７】
近位端および遠位端を備えかつ長手方向軸線を形成する細長い可撓性チューブと、
チューブの遠位端の近くに配置されるコロナ電極と、
チューブの遠位端に連結されたワイヤとを有し、該ワイヤは、チューブが組織に対して全体として直線状に配置される全体として弛緩した第１位置から、チューブの遠位端が、チューブを通って流れる加圧されたイオン化可能ガスを長手方向軸線に対して或る角度で指向させる後退した第２位置まで移動でき、
スリーブの近くに取り付けられる、加圧されたイオン化可能ガスをイオン化するための少なくとも１つの電極を更に有することを特徴とする請求項４記載の電気外科装置。
【請求項８】
前記ワイヤは、コロナ電極を電源に電気的に接続することを特徴とする請求項７記載の電気外科装置。
【請求項９】
前記長手方向軸線に対する角度は、ワイヤに加えられる張力の大きさに比例して徐々に変化することを特徴とする請求項７記載の電気外科装置。
【請求項１０】
加圧されたアルゴンの供給源を更に有することを特徴とする請求項７記載の電気外科装置。
【請求項１１】
前記コロナ電極はリング状であることを特徴とする請求項７記載の電気外科装置。
【請求項１２】
活性電極とコロナ電極との間に配置される誘電体を更に有することを特徴とする請求項７記載の電気外科装置。
【請求項１３】
前記誘電体はセラミック材料から作られることを特徴とする請求項１２記載の電気外科装置。
【発明の詳細な説明】
【０００１】
【発明の属する技術分野】
本発明は、組織を凝固させるためのガス増強形電気外科器具に関し、より詳しくは、組織を凝固させるための関節運動可能なガス増強形電気外科装置に関する。
【０００２】
【従来の技術】
この数十年来に亘り、非常に多くの外科医は、生体器官および体腔へのアクセスを行なうときに、小さい孔状切開を通して器官にアクセスする内視鏡および内視鏡器具の方を好み、伝統的な切開法を避けている。内視鏡器具は、トロカールを構成するカニューレすなわちポートを介して患者の体内に挿入される。カニューレの一般的なサイズは、３〜１２ｍｍである。通常は、カニューレは小さい方が好ましく、このため、カニューレを介して装着されかつ安全で有効な方法で手術が行なえる外科器具の製造方法を探求しなければならない器具製造業者に設計上の挑戦を与えている。
【０００３】
出血を阻止しかつ組織を凝固する内視鏡器具は当業界で良く知られている。例えば、従来技術による幾つかの器具は、熱的凝固（加熱形プローブ）を用いて出血を阻止している。しかしながら、空間的制限のため、外科医は、組織を凝固し、乾燥しおよび／または切断する器具を操作することが困難である。また、プローブが組織に密接すると、プローブを取り外すときにプローブが焼痂に付着し、再び出血させることがある。他の器具は、組織に直接高周波電流を通して出血を止めるものである。この場合も、これらの両形式の器具において、凝固の深さを制御することは困難である。
【０００４】
Canadyの米国特許第５，２０７，６７５号は、イオン化可能ガス（ionizable gas）が強制的に通されるチューブ状凝固器具であって、該凝固器具の遠位端と出血している組織との間の領域において電極によりイオン化可能ガスがイオン化される構成のチューブ状凝固器具を設けることにより従来技術に付随する上記問題のうちの或る問題を解決することを試みている。この場合、電極が組織に接触することはない。
【０００５】
Farin等の米国特許第５，７２０，７４５号は、内視鏡の作業チャンネルを通って延びる凝固器具であって、約１リットル／分以下の流量で凝固器具の遠位端から出るイオン化可能ガスの流れをイオン化する電極を備えている凝固器具を開示している。Farin等の特許明細書に非常に詳細に説明されているように、非常に小さい流量でガスを放出する目的は、組織領域を有効に曇らせかつイオン化可能ガスの「雰囲気」を創出して組織を優しく凝固することにある。
【０００６】
幾分管状の部位、例えば食道および／または結腸の治療にこれらの器具を使用することは、しばしば、困難で、実用的でなくかつ時間を要するものである。例えば、これらの長手方向に配向される器具は、イオン化されたガスおよびＲＦエネルギをそれぞれの遠位端から軸線方向に放出することとなり、管状組織の場合には、出血する組織に対して平行となってしまう。かくして、出血組織において、エネルギを横方向すなわち軸線方向線から外れる方向に合焦させるようにこれらの器具を操作することは非常に困難である。
【０００７】
【発明が解決しようとする課題】
従って、幾分管状の或る組織を治療する新規で有効な器具の開発が要望されている。
【０００８】
【課題を解決するための手段】
本発明は、近位端および遠位端を備えた細長い可撓性チューブと、該チューブの近位端に加圧されたイオン化可能ガスを供給するための供給源とを有する、組織を凝固するための電気外科装置に関する。本発明の一実施形態の装置は、例えばNitinolおよび／またはTinel等の形状記憶合金で作られた中空スリーブを有する。該スリーブは一般に湾曲したオーステナイト状態を有し、かつ通常の体温で応力誘起マルテンサイト挙動を呈する。中空スリーブはチューブ内では変形された応力誘起マルテンサイト形状に拘束されている。ここで、チューブから中空スリーブの一部を部分的に伸長させると、当該部分が変形形状からその湾曲したオーステナイト形状へと変態し、これにより当該部分はガスを組織に指向させる。本発明の外科装置はまた、少なくとも１つの活性電極と、ガスがスリーブの前記部分から出る前にガスをイオン化する高周波エネルギの供給源とを有している。
【０００９】
ガスが組織に向う角度は、チューブから延びるスリーブの前記部分の距離に直接関係することが好ましい。
【００１０】
本発明の他の実施形態では、電気外科装置はチューブの遠位端に連結されたワイヤを有している。このワイヤは、チューブが組織に対して全体として直線平行状に配置される全体として弛緩した第１位置から、チューブの遠位端を組織に向ってガスを或る角度で指向させる後退した第２位置まで移動できる。ガスを組織に指向させる角度は、ワイヤに加えられる張力の大きさに直接関係することが好ましい。
【００１１】
他の実施形態は、ガスが放出される前にプラズマの点火を誘起させるための、チューブの遠位端の近くに配置されるコロナ電極を有している。ワイヤは、チューブの遠位端を関節運動させて、ガスを組織に指向させるのに使用される。ワイヤは、コロナ電極に接続されかつ該コロナ電極を電気外科エネルギ源に電気的に接続するのが好ましい。コロナ電極と活性電極との間には、両電極間のアーキングを防止するための誘電体を配置するのが好ましい。
【００１２】
【発明の実施の形態】
ここで図１を参照すると、全体を参照番号１０で示す関節運動可能な組織凝固器が示されており、該組織凝固器１０を通って内視鏡１２の作業チャンネルが延びている。凝固器１０には、Olympus、PentaxおよびFujinonの製造に係る種々の内視鏡を使用するのが好ましい。本願明細書では、本発明と組み合わせて使用される内視鏡１２の基本作動の特徴のみを説明する。例えば、内視鏡１２は、近位端２７および遠位端２９を備えたハンドピース２６を有している。図面および以下の記載において、用語「近位端」とは、伝統的に、使用者に近い側の装置の端部をいい、一方「遠位端」とは使用者から遠い側の装置の端部をいう。
【００１３】
好ましくは、凝固器１０の近位端は、ホース２０を介して例えば不活性ガスのような加圧されたイオン化可能ガス供給源１８に機械的に連結され、かつケーシング４を介して、例えば高周波凝固電流のような電気外科エネルギを内視鏡１２に供給する電気外科エネルギ発生器（electrosurgical generator）２２に電気的に連結されている。電気外科エネルギ発生器２２は、外科手術中に電極に伝達される電気外科エネルギの量を選択的に制御するように考案されている。また、加圧されたイオン化可能ガスの供給によって、ガス流量を制御するようにも考案されている。流体圧力を調整するため、参照番号２１により示す圧力レギュレータを設けることが好ましい。
【００１４】
図１に示すように、ハンドピース２６の遠位端２９には、１つ以上の作業チャンネル１４が設けられた長い管状部材１３が機械的に連結されている。少なくとも１つの作業チャンネル１４は、本発明の凝固器１０を受け入れることができる充分な寸法を有することが好ましい。他の作業チャンネルは、他の外科用器具および把握器および生検鉗子等のアクセサリを受け入れるのに使用できる。
【００１５】
ここで図１、図２ａ、図２ｂおよび図３を参照すると、凝固器１０の好ましい一実施形態が示されており、該凝固器１０は、内視鏡１２の作業チャンネル１４を通って延びる近位端３２とチューブ１３の遠位端１５から外方に突出する遠位端３４とを備えた全体として細長い可撓性カテーテルすなわちチューブ３０を有している。例えばアルゴンのようなイオン化可能ガス２８が、チューブ１３内に配置されるガス導管（図示せず）により、凝固器１０の近位端３２に供給される。ガス２８は、選択可能な所定流量で、供給源１８から凝固器１０に供給されかつチューブ３０内をその遠位端３４に向って全体として矢印の方向に流れる。ガス２８の流量は選択的に調節できかつ特定の目的および外科的条件に基いて容易に調節できる。
【００１６】
電極４８は、該電極と組織５０との間の領域内のガス２８をイオン化するＲＦ電界を形成する。電極４８は、チューブ３０、１３内に配置された導電体（図示せず）を介して最終的に電気外科エネルギ発生器２２に接続されている。好ましくは、電極４８は、リングまたはピン形のもので、かつ外科手術中に組織５０に接触しないように遠位端３４から間隔を隔てて配置される。患者には戻り電極すなわちパッド１７が取り付けられる。該パッド１７は電気外科エネルギ発生器２２に電気的に接続され、電気外科電流の戻り経路を形成する。
【００１７】
好ましくは、ガスプラズマ４６の流れは、電流を組織５０に導くと同時に、組織５０が容易に凝固しかつ出血を阻止できるように、治療部位から血液を有効に四散させる。ガスプラズマ４６は、電気抵抗の小さな経路を形成することにより、外科手術において、電極を患者に接触させることなく患者に電気外科エネルギを導くために使用される。電気外科エネルギはこの経路に従って導かれ、従って患者の血液または組織５０を凝固させ、乾燥させまたは高周波治療するのに使用できる。この手術方法の１つの長所は、電極と治療すべき組織５０とを物理的に接触させる必要が全くないことである。ガス２８を直接流すことの１つの長所は、プラズマアークが、流れにより正確に合焦および指向されることである。
【００１８】
図２ａ、図２ｂおよび図３に最も良く示すように、チューブ３０の遠位端３４から放出されるプラズマすなわちイオン化されたガス４６を操作および／または指向させる１つのアプローチは、形状記憶特性をもつ中空スリーブ４０を、チューブ３０の遠位端３４内に挿入することである。スリーブ４０はチューブ３０の遠位端３４から延びているのが好ましい。スリーブ４０は可撓性を有しかつイオン化されたガス４６を組織５０に指向させる。
【００１９】
より詳しくは、形状記憶合金（shape memory alloys: SMA）は、記憶および訓練性に関し擬人的特性をもつ一群の合金であり、医療器具に使用するのに特に適している。SMAは、制御システム、操縦可能なカテーテルおよびクランプのアクチュエータのような部品に適用されている。最も一般的なSMAの１つとしてNitinolがあり、該Nitinolは、２つの異なる物理的形状についての形状記憶を保持できかつ温度に関係して形状が変化する。最近では、銅、亜鉛およびアルミニウムに基いた他のSMAが開発されており、該SMAも同様な形状記憶保持特性を有している。
【００２０】
SMAは、加えられる温度および／または応力に基いて、結晶相転移を受ける。SMAの特に有効な特性は、温度または応力によって変形された後、SMAが元の温度に戻されるとその元の形状に完全に復帰できることである。合金がもつ形状記憶能力は、合金が、温度（または応力誘起状態）の変化により、オーステナイト状態からマルテンサイト状態への可逆変態を受けるという事実の結果である。この変態は、熱弾性マルテンサイト変態と呼ばれている。
【００２１】
通常の条件下では、熱弾性マルテンサイト変態は、合金自体の組成および合金を製造する熱的／機械的加工方法に従って変化する温度範囲に亘って生じる。換言すれば、SMAにより形状が「記憶」されるときの温度は、当該特定合金においてマルテンサイト結晶およびオーステナイト結晶が形成する温度に関係している。例えば、Nitinol合金は、形状記憶が、例えば−２７０〜＋１００℃の広い温度範囲に亘って生じるように製造できる。
【００２２】
多くのSMAは、合金に応力状態を付与することにより、合金がその元のオーステナイト状態からマルテンサイト状態へと変形されるときに生じる応力誘起マルテンサイト（stress-induced martensite: SIM）を呈することも知られている。例えば図２ａ、図２ｂおよび図３に示すように、中空スリーブ４０は、その元の状態すなわちオーステナイト状態に置かれると、全体的に曲げられてＬ形になる（図２ｂ参照）。スリーブ４０がチューブ３０内に挿入されているとき、スリーブ４０は真直な応力誘起マルテンサイト状態に変形されており、使用者が、内視鏡ナビゲートを介して、より容易にチューブ３０を体腔および体通路に挿通して損傷組織５０にアクセスすることを可能にする。
【００２３】
図３に最も良く示すように、体腔および体通路内にチューブ３０を挿入後、使用者は、スリーブ４０を遠位側に伸長させてスリーブ４０の伸長部分をその元のオーステナイト状態に逆戻りさせることにより、チューブ３０を通って流れるイオン化されたガス４６を、組織５０へと容易に横方向（軸線から外れた方向）に向けることができる（合金の使用温度により、応力が除去されると自動的に逆戻りすると考えられる）。使用者はまた、スリーブ４０がチューブ３０から伸長する距離「Ｘ」を制御することにより、組織５０に指向されるイオン化されたガス４６の角度αを制御することができる。角度αと距離「Ｘ」とは直接関係すること、すなわち距離「Ｘ」が増大すると角度αも増大することが好ましい。
【００２４】
使用者がスリーブ４０の遠位端４１を種々の角度αで関節運動すなわち曲げることができるようにして、オペレータが、より長い形状の病巣すなわち内視鏡１２の軸線方向に平行な組織病巣をもつ出血組織５０を、二次的な組織損傷を引き起こすことなく、より有効に凝固できるようにすることを考えることができる。また、スリーブ４０の遠位端４１の角度αを調節することにより、イオン化されたガス４６が衝突する組織表面すなわちチューブの長手方向軸線に対する角度を選択的に制御することも考えることができる。
【００２５】
図４および図５は、近位端１３２および遠位端１３４を備えた細長いチューブ１３０を有する関節運動可能な凝固器１１０の他の実施形態を示す。チューブ１３０は、その遠位端１３４または該遠位端１３４に近い部分が可撓性を有することが好ましい。イオン化可能ガス２８は、選択可能な所定流量で凝固器１１０の近位端１３２に供給され、かつチューブ１３０内でその遠位端１３４に向って矢印の方向に流れる。ガス２８の流量は選択的に調節できかつ特定目的または特定の外科的条件に基いて容易に調整できる。図２ａ、図２ｂおよび図３に関連して説明したのと非常に良く似た態様で、電極４８は、イオン化可能ガス２８が放出される前に、該ガス２８をイオン化する電気外科電流を放電する。
【００２６】
凝固器１１０はまた、一端がチューブ１３０の遠位端１３４の近くに連結されたプルワイヤ１６０を有し、該プルワイヤ１６０を引っ張るとチューブ１３０を撓ませることができるようになっている。好ましくは、ワイヤ１６０はチューブ１３０の近位端１３２内に配置されかつチューブ１３０に設けられたポート１３６から出て、遠位端１３４の近くでチューブ１３０に取り付けられる。ワイヤ１６０は、チューブ３０が、組織５０に対して全体として直線状に配置される全体として弛緩した第１位置（図４参照）から、チューブ１３０の遠位端１３４が組織５０に向って撓む、後退すなわち緊張した第２位置（図５）へと移動できる。使用者は、チューブ１３０の遠位端１３４を所望角度αに撓ませるワイヤ１６０に加えられる張力を制御することにより、チューブ１３０を通って流れるイオン化されたガス４６を、組織５０へと容易に横方向に向けることができる。使用者がチューブ１３０の遠位端１３４を種々の角度αに関節運動すなわち撓ませることができると、オペレータは、組織に二次的損傷を与えることなく、より有効に出血組織５０に指向させることができる。
【００２７】
或る場合には、ワイヤ１６０を戻り電極として利用し、ワイヤ１６０を電気外科エネルギ発生器２２に接続するのが好ましい。この場合には、ガス２８の意図しない点火およびイオン化を防止するため、チューブ１３０内に配置されるワイヤ１６０の部分を絶縁しておくことが好ましい。
【００２８】
図６〜図８は、近位端２３２および遠位端２３４をもつ細長いチューブ２３０を備えた関節運動可能な凝固器２１０を有する他の実施形態を示す。チューブ２３０は、遠位端２３４または該遠位端の近くが可撓性を有することが好ましい。凝固器２１０は、チューブ２３０の遠位端２３４に、ガス２８のイオン化を開始させるのに使用される「コロナリング」電極が配置されている点を除き、図４および図５の実施形態と同じ多くの部品および特徴を有している。
【００２９】
「コロナ」は、活性電極の周囲に形成される放電の一種であり、プラズマ点火の信頼性を高めるのに使用できる。コロナは低電流放電で、殆ど電力を消費しないため、組織に供給される全電力に影響を与えない。一般に、コロナは、サイズが大きく異なる電極間に発生される不均一電界内に発生する。
【００３０】
一般にコロナ電極は活性電極４８の近くに配置され、かつ電気外科エネルギ発生器２２の戻り電位に電気外科エネルギ発生器２２に電気的に発生される。例えば図６の実施形態に示すように、リングコロナ電極２７５は、活性電極４８と同軸状に整合してチューブ２３０の遠位端２３４に配置されている。
【００３１】
図７に最も良く示すように、コロナ電極２７５と活性電極４８との間には、両電極２７５と４８との間のアーキングを防止するための誘電体スリーブすなわち絶縁スリーブ２７０が配置されている。誘電体スリーブ２７０は、セラミック材料または他の高温耐熱材料で作るのが好ましい。
【００３２】
電気外科エネルギ発生器２２が付勢されると、コロナ電極２７５と活性電極４８との間に不均一電界が発生されかつ活性電極４８の周囲にコロナが形成され、これが、ガス２８を点火してガスプラズマ４６を発生させることを補助する。
【００３３】
前述のように、凝固器２１０はまたワイヤ２６０を有している。該ワイヤ２６０は一端がチューブ２３０の遠位端２３４にの近くに連結されていて、ワイヤ２６０を引っ張るとチューブ２３０を撓ませることができるようになっている。好ましくは、ワイヤ２６０はコロナ電極２７５に接続され、次の２つの機能を発揮する。すなわち１）コロナ電極２７５を電気外科エネルギ発生器２２に電気的に接続する機能、および２）使用者がチューブ２３０の遠位端２３４を種々の角度αで選択的に関節運動させ、図４の実施形態に関連して説明した態様と同様な態様で出血組織５０を有効に凝固できるようにする機能である。
【００３４】
より詳しくは、図８に最も良く示すように、使用者は、ワイヤ２６０に加えられる引っ張り力を制御することにより（これにより、遠位端２３４が所望角度αに関節運動される）、チューブ２３０から出るガスプラズマ４６を、組織５０へと容易に指向させることができ、かつ二次的損傷を引き起こすことなく組織５０を一層有効に凝固すなわち出血阻止することができる。
【００３５】
上記説明および種々の図面から、当業者ならば、本発明の凝固器１０、１１０、２１０が組織の出血阻止に使用できるだけでなく、表面組織を乾燥させ、嚢胞を根絶させ、腫瘍に焼痂を形成しまたは組織を熱的にマーキングさせるのにも使用できることが理解されよう。また、当業者ならば、本発明の範囲から逸脱することなく本発明に或る変更を施し得ることが理解されよう。
【００３６】
或る場合には、本発明の各実施形態に関連して示した構成部品の種々の組み合わせを使用することが好ましい。例えば、SMA（すなわち応力誘起マルテンサイト）と、チューブの遠位端を関節運動させるワイヤとを組み合わせることが好ましい。他の場合には、リング状コロナ戻り電極にSMAを使用してプラズマ点火を誘起させることが好ましい。
【００３７】
或る場合には、電極制御機構を使用して、使用者が、外科的条件に従って，電極を通って流れる電流の大きさを選択的に調節できるようにするのが好ましい。また、組織の凝固を行なうイオン化可能ガスとしてアルゴンを使用するのが好ましいけれども、或る場合には、他のイオン化可能ガスを使用して同じまたは異なる結果を得ることが好ましい。
【００３８】
以上、出血を阻止しかつ他の外科的処置を遂行する凝固器の幾つかの実施形態を説明しかつ例示した。本発明の特定実施形態を説明したが、本発明はこの特定実施形態に限定するものではなく、当該技術が許容する範囲内で広く解釈すべきでありかつ明細書も同様に読むべきである。従って、上記説明は限定的に解釈すべきではなく、好ましい実施形態の単なる例示として解釈すべきである。当業者ならば、特許請求の範囲に記載の範囲および精神内で他の変更を考えることができるであろう。
【図面の簡単な説明】
【図１】内視鏡の作業チャンネルに通された状態の電気外科器具を示す斜視図である。
【図２ａ】カテーテル内の後退位置にある中空形状記憶スリーブを示す本発明の一実施形態の側断面図である。。
【図２ｂ】オーステナイト形態で示す中空形状記憶スリーブの拡大図である。
【図３】イオン化されたガスを組織に指向させるべく、カテーテルから延びかつ関節運動しているところを示す図２ａおよび図２ｂの形状記憶スリーブの拡大側断面図である。
【図４】可撓性カテーテルの遠位端に取り付けられたプルワイヤ／戻り電極を示す本発明の他の実施形態を示す拡大側断面図である。
【図５】可撓性カテーテルを関節運動させてイオン化されたガスを組織に指向させるべくワイヤを引っ込めたところを示す図４の実施形態の拡大側断面図である。
【図６】可撓性カテーテル内に座合されたリングコロナ電極および誘電体スリーブと、可撓性カテーテルの遠位端に取り付けられたプルワイヤ／戻り電極とを示す本発明の他の実施形態の拡大側断面図である。
【図７】図６の７−７線に沿う図６の実施形態の断面図である。
【図８】可撓性カテーテルを関節運動させてイオン化されたガスを組織に指向させるべくプルワイヤ／戻り電極を引っ込めたところを示す図６の実施形態の拡大側断面図である。
【符号の説明】
１０  関節運動可能な組織凝固器
１２  内視鏡
３０、１３０、２３０  可撓性チューブ
４６  イオン化されたガス（ガスプラズマ）
４８  電極
１６０  プルワイヤ
２７０  誘電体スリーブ（絶縁スリーブ）
２７５  リングコロナ電極
【図１】
0004203216.tif 000002
【図２ａ】
0004203216.tif 000003
【図２ｂ】
0004203216.tif 000004
【図３】
0004203216.tif 000005
【図４】
0004203216.tif 000006
【図５】
0004203216.tif 000007
【図６】
0004203216.tif 000008
【図７】
0004203216.tif 000009
【図８】
0004203216.tif 000010